(57)【要約】      （修正有）【課題】他の装置で出力されている情報の出力元が分からなくても、通信接続によらず、その情報の出力元をアクセスして同じ情報を出力できるようにする。【解決手段】ＰＣ装置１は、他の情報出力装置２で出力されている情報（画像、音声）を撮影、集音により取得して解析することによって、その情報の出力元（放送チャンネル、ＵＲＬなど）を検出した後に、その出力元をアクセスすることによって他の情報出力装置２で出力されている情報と同じ情報をＰＣ装置１でも出力する。【選択図】図１
2014096780.tif 000002
【特許請求の範囲】
【請求項１】
情報を出力する情報出力装置であって、
当該情報出力装置以外の他の情報出力装置に表示されている情報を取得する取得手段と、
前記取得手段によって取得された情報を解析することによってその情報の出力元を検出する検出手段と、
前記検出手段によって検出された出力元をアクセスすることによって前記他の情報出力装置に出力されている前記情報と同じ情報を出力させるための制御を行う出力制御手段と、
を備えたことを特徴とする情報出力装置。
【請求項２】
画像を撮影する撮影手段を更に備え、
前記取得手段は、前記他の情報出力装置に表示されている画像が前記撮影手段により撮影された場合にその撮影画像を取得し、
前記検出手段は、前記取得手段によって取得された撮影画像を解析してその画像の出力元を検出する、
ようにしたことを特徴とする請求項１記載の情報出力装置。
【請求項３】
前記取得手段によって取得された撮影画像は、前記他の情報出力装置に表示されている通信ネットワーク上の画像を撮影した画像であり、
前記検出手段は、前記取得手段によって取得されたネットワーク上の画像に含まれている文字列の中で特定固有名詞に続くネットワーク上の所在位置をその画像の出力元として検出する、
ようにしたことを特徴とする請求項２記載の情報出力装置。
【請求項４】
前記取得手段によって取得された撮影画像は、前記他の情報出力装置に表示されているテレビ放送画像を撮影した画像であり、
前記検出手段は、前記取得手段によって取得されたテレビ放送画像をキーにして、テレビ放送の各チャンネルをスキャンすることにより同様の画像を含むチャンネルをその画像の出力元として検出する、
ようにしたことを特徴とする請求項２に記載の情報出力装置。
【請求項５】
前記取得手段によって取得された撮影画像は、前記他の情報出力装置でのアプリケーション処理時に表示されているアプリケーション画面を撮影した画像であり、
前記検出手段は、前記取得手段によって取得されたアプリケーション画像内のヘッダ部の内容から判定したアプリケーションの種別をその画面の出力元として検出する、
ようにしたことを特徴とする請求項２に記載の情報出力装置。
【請求項６】
前記取得手段によって取得された撮影画像は、前記他の情報出力装置に表示されている資料画面を撮影した画像であり、
前記検出手段は、前記取得手段によって取得された資料画面内のヘッダ部あるいはフッタ部の内容からその資料ファイルを指定する指定情報あるいはその資料ファイル内でのページを指定する指定情報をその画像の出力元として検出する、
ようにしたことを特徴とする請求項２に記載の情報出力装置。
【請求項７】
前記検出手段は、前記取得手段によって取得された撮影画像を解析して、その撮影対象の種別を判別した後に、その種別に応じてその画像の出力元を検出する、
ようにしたことを特徴とする請求項２〜請求項６のいずれかに記載の情報出力装置。
【請求項８】
前記検出手段は、前記取得手段によって取得された撮影画像を解析することによりその撮影画像が所定の画像フォームであるか、撮影画像内のヘッダ部あるいはフッタ部に所定の文字あるいは数字が含まれているか、所定の指示指標が含まれているか、撮影画像は静止画像であるか動画像であるか、のうち少なくともそのいずれかに基づいて前記撮影対象の種別を判別する、
ようにしたことを特徴とする請求項７に記載の情報出力装置。
【請求項９】
音声を集音する集音手段を更に備え、
前記取得手段は、前記他の情報出力装置で出力されている音声が前記集音手段により集音された場合にその音声を情報として取得し、
前記検出手段は、前記取得手段によって取得された音声を解析してその音声の出力元を検出する、
ようにしたことを特徴とする請求項１に記載の情報出力装置。
【請求項１０】
前記検出手段は、前記取得手段によって取得された音声をキーにして、各局をスキャンすることにより同様の音声を含む局をその音声の出力元として検出する、
ようにしたことを特徴とする請求項９に記載の情報出力装置。
【請求項１１】
前記取得手段によって取得された情報の種別をユーザ操作により任意に入力指定する指定手段を更に備え、
前記検出手段は、前記指定手段により指定された情報の種別に応じてその情報の出力元を検出する、
ようにしたことを特徴とする請求項９あるいは請求項１０に記載の情報出力装置。
【請求項１２】
前記出力制御手段は、前記出力元をアクセスすることにより取得した情報と前記取得手段によって取得された情報とが同じであるか否かを判別し、同じ情報でなければ、更に前記取得手段及び前記検出手段を再動作させて情報の出力元を検出する動作を繰り返し実行させるための制御を行い、同じ情報であれば、その出力元からの情報を出力させるための制御を行う、
ようにしたことを特徴とする請求項１〜請求項１１のいずれかに記載の情報出力装置。
【請求項１３】
前記検出手段は、前記取得手段によって取得された情報を解析した解析結果に基づいて複数の出力元を選択候補として検出し、
前記出力手段は、前記検出手段によって選択候補として検出された各出力元を順次アクセスすることにより得られた情報と前記取得手段によって取得された情報とが同じであるか否かを順次判別し、同じ情報であると判別した場合にその候補を出力元として確定し、その確定出力元から情報を取得して出力する、
ようにしたことを特徴とする請求項１〜請求項１１のいずれかに記載の情報出力装置。
【請求項１４】
前記他の情報出力装置に表示されている通信ネットワーク上の画像を撮影する撮影手段を更に備え、
前記取得手段は、前記撮影手段により撮影された撮影画像を取得し、
前記検出手段は、前記取得手段によって取得された撮影画像を解析してその画像内に含まれている文字列又は画像部分を検索対象として通信ネットワーク上を検索することによってその画像の出力元を検出する、
ようにしたことを特徴とする請求項１記載の情報出力装置。
【請求項１５】
前記検出手段は、前記文字列又は画像部分を検索対象として通信ネットワーク上を検索した結果、複数の出力元を選択候補として検出し、
前記出力手段は、前記検出手段によって選択候補として検出された各出力元を順次アクセスすることにより得られた情報と前記取得手段によって取得された情報とが同じであるか否かを順次判別し、同じ情報であると判別した場合にその候補を出力元として確定し、その確定出力元から情報を取得して出力する、
ようにしたことを特徴とする請求項１４記載の情報出力装置。
【請求項１６】
前記出力手段は、前記検出手段によって選択候補として検出された各出力元を順次アクセスすることにより得られた情報と前記取得手段によって取得された情報とが同じであるか否かを順次判別し、同じ情報ではないと判別した場合にその旨の案内情報を出力する、
ようにしたことを特徴とする請求項１５記載の情報出力装置。
【請求項１７】
前記取得手段によって取得された撮影画像を解析してその画像内に含まれている文字列又は画像部分を検索対象とする場合に、その画像が表示されている画面構成を分析することによって検索対象を特定する、
ようにしたことを特徴とする請求項１４〜請求項１６のいずれかに記載の情報出力装置。
【請求項１８】
前記検出手段は、前記取得手段によって取得されたネットワーク上の画像に含まれている文字列の中で特定固有名詞に続くネットワーク上の所在位置をその画像の出力元として検出することができなかった場合に、その画像内に含まれている文字列又は画像部分を検索対象として通信ネットワーク上を検索することによってその画像の出力元を検出する、
ようにしたことを特徴とする請求項１４〜請求項１７記載のいずれかに記載の情報出力装置。
【請求項１９】
前記検出手段は、前記文字列又は画像部分を検索対象として通信ネットワーク上を検索した結果、複数の出力元を選択候補として検出した場合に、その候補数が所定値以上であれば、検索対象を変更した後にその変更後の検索対象に基づいて通信ネットワーク上を再検索する、
ようにしたことを特徴とする請求項１４〜請求項１８記載のいずれかに記載の情報出力装置。
【請求項２０】
コンピュータに対して、
他の情報出力装置で出力されている情報を取得する機能と、
前記取得された情報を解析することによってその情報の出力元を検出する機能と、
前記検出された出力元をアクセスすることによって前記他の情報出力装置に出力されている前記情報と同じ情報を出力させる制御を行う機能と、
を実現させるためのプログラム。
【発明の詳細な説明】
【技術分野】
【０００１】
本発明は、情報を出力する情報出力装置及びプログラムに関する。
【背景技術】
【０００２】
従来、複数の端末装置に同一の情報を同時に表示させる技術としては、例えば、通話中に一方の携帯端末装置から他方の携帯端末装置にコンテンツＩＤを送信することにより、同じコンテンツを各携帯端末装置に同時に表示させて通話相手との間でコンテンツを共有するようにした技術が開発されている（特許文献１参照）。また、ネットワークを介して複数の端末装置を接続させることにより同一内容の画面を同期表示させるようにした技術が開発されている（特許文献２参照）。
【先行技術文献】
【特許文献】
【０００３】
【特許文献１】特開２００４−２９７２５０号公報
【特許文献２】特開２０１０−６７１０８号公報
【発明の概要】
【発明が解決しようとする課題】
【０００４】
しかしながら、上述した各特許文献の技術にあっては、複数の端末装置に同一の情報を同時に表示させるためには、他の端末装置に通信接続されることが前提となっているため、例えば、通信接続機能を備えていなかったり、他の端末装置との通信方法が異なっていたり、劣悪な通信環境であったりした場合には、同一の情報を同時に表示させることはできなかった。
【０００５】
本発明の課題は、他の装置で出力されている情報の出力元が分からなくても、通信接続によらず、その情報の出力元をアクセスして同じ情報を出力できるようにすることである。
【課題を解決するための手段】
【０００６】
上述した課題を解決するために本発明の情報出力装置は、
情報を出力する情報出力装置であって、
当該情報出力装置以外の他の情報出力装置に表示されている情報を取得する取得手段と、
前記取得手段によって取得された情報を解析することによってその情報の出力元を検出する検出手段と、
前記検出手段によって検出された出力元をアクセスすることによって前記他の情報出力装置に出力されている前記情報と同じ情報を出力させるための制御を行う出力制御手段と、
を備えたことを特徴とする情報出力装置である。
【発明の効果】
【０００７】
本発明によれば、他の装置で出力されている情報の出力元が分からなくても、通信接続によらず、その情報の出力元をアクセスして同じ情報を出力することができ、利便性の高いものとなる。
【図面の簡単な説明】
【０００８】
【図１】自己の情報出力装置（ＰＣ装置）１と他の情報出力装置２に同一の情報が同時に出力されている様子を示した図。
【図２】撮影対象（他の情報出力装置２に表示されている画像）がアプリケーション画面の場合に撮影対象の種別を自動判別するための基準となるアプリケーション画面の特徴部分を説明するための図。
【図３】情報出力装置として適用したＰＣ装置１の基本的な構成要素を示したブロック図。
【図４】他の情報出力装置２に出力されている情報の出力元をアクセスして同じ情報を同時に出力するコピー出力モードに切り替えられた際に実行開始されるＰＣ装置１側の動作を示したフローチャート。
【図５】撮影対象の種別（コピー種別）を判別する種別判別処理（図４のステップＡう）を詳述するためのフローチャート。
【図６】画像の出力元を検出する出力元検出処理（図４のステップＡ５）を詳述するためのフローチャート。
【図７】第２実施形態において、コピー出力モードに切り替えられた際に実行開始されるＰＣ装置１側の動作を示したフローチャート。
【図８】第３実施形態において、画像の出力元を検出する出力元検出処理（図４のステップＡ５）を詳述するためのフローチャート。
【図９】図８の動作に続くフローチャート。
【発明を実施するための形態】
【０００９】
（第１実施形態）
以下、図１〜図６を参照して本発明の第１実施形態を説明する。
本実施形態は、情報出力装置としてパーソナルコンピュータ（ＰＣ）装置１に適用した場合を例示したもので、図１は、自己の情報出力装置（ＰＣ装置）１と他の情報出力装置２に同一の情報が同時に出力されている様子を示した図である。
ＰＣ装置（情報出力装置）１は、据え置きタイプ（ディスクトップ型）の大型画面を備えたもので、その各種のアプリケーション機能として、文章作成機能、アドレス帳機能、メーラ機能、テレビ放送受信機能、ラジオ放送受信機能、インターネット接続機能などのほかに、カメラ機能、集音機能を備えている。ここで、第１実施形態においてカメラ機能は、ＰＣ装置１の前面においてその上端中央部に配置された撮影レンズ１ａを備え、他の情報出力装置２、図示の例では、携帯端末装置（例えば、スマートフォン）あるいはノート型ＰＣの表示画面の全体を撮影することによりその画面内に表示されている全体の情報（画面全体の画像）を取得する情報取得機能（画像取得機能）として使用するようにしている。
【００１０】
ＰＣ装置１は、このカメラ機能によって撮影された撮影画像を取得して、その撮影画像を解析することによりその画像の出力元を検出すると共に、この出力元をアクセスすることにより、他の情報出力装置２に表示されている画像と同じ画像を自身でも出力するようにしている。すなわち、自身のＰＣ装置１の出力状態を、他の情報出力装置２と同一の出力状態（同一環境）にするようにしている。ここで、「画像の出力元」とは、他の情報出力装置２に表示されている画像がテレビ放送の画像であれば、その番組を放送しているチャンネルを示し、アプリケーション画面の画像であれば、アプリケーション種別（アドレス帳機能、メーラ機能、文章作成機能など）を示し、また、Ｗｅｂ（World  Wide  Web）ページの画像であれば、そのＵＲＬ（Uniform  Resource  Locator）を示し、ＰＣ装置１及び他の情報出力装置２に共通して保存されている資料（保存共通資料）の画像であれば、そのファイルのパス名やページ番号を示している。
【００１１】
この場合、ＰＣ装置１は、他の情報出力装置（携帯端末装置やノートＰＣなど）２の画面に表示されている画像全体をカメラ機能によって撮影してその撮影画像を取得した際に、その撮影画像を解析することによって、その撮影対象（他の情報出力装置２に表示されている画像）の種別（例えば、テレビ放送、アプリケーション画面、Ｗｅｂページ、保存共通資料の画像）を自動判別した後に、この判別した種別に応じてその画像の出力元（放送チャンネル、ＵＲＬ、パス名など）を検出するようにしている。なお、集音機能は、ＰＣ装置１の前面においてその上端中央部に配置されたマイク１ｂを備え、周囲の音声を集音するものであるが、その詳細については、後述する第２実施形態で説明するものとする。
【００１２】
図２は、撮影対象がアプリケーション画面の場合に撮影対象の種別を自動判別するための基準となるアプリケーション画面の特徴部分を説明するための図で、このアプリケーション画面は、他の情報出力装置（携帯端末装置）２に表示されている場合を示している。
一般に、アプリケーション画面のヘッダ部あるいはフッタ部には、そのアプリケーション特有のマーク、文字、数字として、アプリケーションをシンボル化したマーク（シンボルマーク）やアプリケーション名などの文字列、各種の数字のほか、指示指標として各種のボタンやアイコンが配置表示されているので、ＰＣ装置１は、この他の情報出力装置（携帯端末装置）２に表示されているアプリケーション画面を撮影してその撮影画像を解析した際に、この特有のマーク、文字、数字を認識することで撮影対象はアプリケーション画面であると判別するようにしている。なお、図示の例は、シンボルマークＭのほか、指示指標（ボタンやアイコン）としてファイルボタンＢ１、編集ボタンＢ２、ヘルプボタンＢ３、閉じボタンＢ４などが配置されているアプリケーション画面を示している。
【００１３】
図３は、ＰＣ装置１の基本的な構成要素を示したブロック図である。
ＣＰＵ１１は、電源部（図示省略）からの電力供給によって動作し、記憶部１２内の各種のプログラムに応じてこのＰＣ装置１の全体動作を制御する中央演算処理装置である。記憶部１２は、例えば、ＲＯＭ、フラッシュメモリなどを有する構成で、後述する図４〜図６に示した動作手順に応じて本実施形態を実現するためのプログラムや各種のアプリケーションなどが格納されているプログラムメモリ１２ａと、このＰＣ装置１が動作するために必要となる各種の情報（例えば、フラグなど）を一時的に記憶するワークメモリ１２ｂなどを有している。なお、記憶部１２は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１４】
操作部１３は、各種の押しボタン式の各種のキーとして、図示省略したが、文字キー、テンキーのほか、モード切り替えキーを有し、ＣＰＵ１１は、この操作部１３から操作キーに対応して出力される入力操作信号に応じた処理を行う。このモード切り替えキーは、各種の動作モードの中からユーザの所望する動作モードに切り替えるもので、その一つとしてコピー出力モードに切り替える。コピー出力モードは、他の情報出力装置２に出力されている情報の出力元をアクセスして同じ情報を同時に出力する動作モードである。なお、コピー出力モードでの出力形態は、第１実施形態では表示出力、後述する第２実施形態では音声出力を例示している。
【００１５】
表示部１４は、例えば、縦横比（横４：縦３）の異なる画面を有した高精細液晶ディスプレイあるいは有機ＥＬ（Electro Luminescence）ディスプレイである。音声出力部１５は、ステレオスピーカ（図示省略）などを備え、テレビ放送やラジオ放送などの音声を出力する。撮像部１６は、上述のカメラ機能を構成するもので、撮影レンズ１ａからの被写体像が撮像素子（ＣＣＤやＣＭＯＳなど）に結像されることにより被写体を高精細に撮影可能なもので、光電変換された画像信号（アナログ値の信号）は、色分離やＲＧＢの色成分毎のゲイン調整などが行われた後、デジタル値のデータに変換される。デジタル変換された画像データは、色補間処理が施されて表示部１４にフルカラー表示される。また、本実施形態においては、ズーム機能、オートフォーカス処理（ＡＦ処理）、露出調整処理（ＡＥ処理）、オートホワイトバランス調整処理（ＡＷＢ）なども実行可能となっている。集音部１７は、マイク１ｂを備え、上述の集音機能を構成する。
【００１６】
広域通信部１８は、ブロードバンドのインターネットに接続（例えば、光通信接続）されるもので、Ｗｅｂブラウザの起動に応じてインターネット上のＷｅｂページをアクセスすることによりＷｅｂページの閲覧やネット中継の視聴が可能な状態となる。テレビ放送受信部１９は、地上波デジタルテレビ放送のほか、電子番組表（ＥＰＧ情報）などの番組情報も含めて受信可能なもので、テレビ放送信号の中から予め選局されているチャンネルの放送信号を抽出して、この放送信号から画像（映像）、音声、データ（文字データ）に分離して復号化するもので、このテレビ放送受信部１９の起動に応じてテレビ放送が視聴可能な状態となる。ラジオ放送受信部２０は、ＡＭ／ＦＭ放送などのラジオ放送波を受信してデジタル音声信号を出力し、ラジオ放送受信部２０の起動に応じてラジオ放送が取聴可能な状態となる。
【００１７】
次に、本実施形態におけるＰＣ装置１の動作概念を図４〜図６に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。なお、図４〜図６は、ＰＣ装置１の全体動作のうち、本実施形態の特徴部分の動作概要を示したフローチャートであり、この図４〜図６のフローから抜けた際には、全体動作のメインフロー（図示省略）に戻る。
【００１８】
図４は、他の情報出力装置２に表示されている情報の出力元をアクセスして同じ情報を同時に表示するコピー出力モードに切り替えられた際に実行開始されるＰＣ装置１側の動作を示したフローチャートである。ここで、ユーザは、他の情報出力装置２に所望する画像を表示させ、かつ他の情報出力装置２の画面をＰＣ装置１側に向けた状態において、上述のモード切り替えキーを操作することによりコピー出力モードに切り替えると、図４のフローが実行開始される。
先ず、ＰＣ装置１においてそのＣＰＵ１１は、ユーザ操作によりコピー出力モードに切り替えられると、撮像部１６を起動して撮影を開始させる（ステップＡ１）。この場合、他の情報出力装置２の画面全体に表示されている画像がＰＣ装置１の撮像部１６によって撮影される。
【００１９】
そして、ＣＰＵ１１は、この撮影画像を取得して画像解析を行いながら（ステップＡ２）、撮影開始後から所定時間が経過したかを調べる（ステップＡ３）。ここで、所定時間とは、撮影画像の解析によってその画像は静止画像であるか動画像であるかなどを判別するために要する時間であり、この所定時間が経過するまで上述のステップＡ２に戻る。いま、所定時間の経過を検出したときには（ステップＡ３でＹＥＳ）、撮影対象の種別（コピー種別）を判別する種別判別処理（ステップＡ４）を行った後、判別した種別に応じて画像の出力元を検出する処理に移る（ステップＡ５）。
【００２０】
図５は、撮影対象の種別（コピー種別）を判別する種別判別処理（図４のステップＡ４）を詳述するためのフローチャートである。
先ず、ＰＣ装置１においてそのＣＰＵ１１は、撮影画像の解析結果に基づいて所定の画像フォームであるかを調べる（ステップＢ１）。例えば、画像内に少なくともヘッダ部、フッタ部のいずれかが存在している所定の画像フォームであるかを、予め用意されている基準フォームと比較するパターンマッチングを行うことによって調べ、所定の画像フォームであれば（ステップＢ１でＹＥＳ）、そのヘッダ部やフッタ部内に所定のマーク、数字、文字が存在しているかを調べる（ステップＢ２）。例えば、ヘッダ部やフッタ部内に文字が存在している場合には、例えば、Ｗｅｂページ特有の「ファイル」、「お気に入り」、「ツール」、「ヘルプ」のいずれかが存在しているかを調べ、所定のマーク、数字、文字が存在していれば（ステップＢ２でＹＥＳ）、撮影対象はＷｅｂページの画像であると判別する（ステップＢ３）。
【００２１】
また、ヘッダ部やフッタ部内に所定のマーク、数字、文字が存在していなければ（ステップＢ２でＮＯ）、所定の指示指標（アイコンやボタン）が含まれているかを調べる（ステップＢ４）。この場合、指示指標を構成するマーク、文字などの形状から所定の指示指標としてアプリケーション特有のアイコンやボタン（例えば、図２に示したようなファイルボタンＢ１、編集ボタンＢ２など）が含まれているかを調べ、所定の指示指標が含まれていれば（ステップＢ４でＹＥＳ）、撮影対象はアプリケーション画面の画像であると判別するが（ステップＢ５）、所定の指示指標が含まれていなければ（ステップＢ４でＮＯ）、撮影対象はＷｅｂページの画像であると判別する（ステップＢ３）。
【００２２】
一方、ヘッダ部やフッタ部が存在していなければ、所定の画像フォームではないと判断されるので（ステップＢ１でＮＯ）、撮影画像は動画像であるかを調べ（ステップＢ６）、動画像であれば（ステップＢ６でＹＥＳ）、指示指標（アイコンやボタン）が含まれているかを調べる（ステップＢ７）。ここで、指示指標が含まれていなければ（ステップＢ７でＮＯ）、撮影対象はテレビ放送の画像であると判別する（ステップＢ８）。また、動画像でなければ（ステップＢ６でＮＯ）、撮影対象は保存共通資料の画像であると判別し（ステップＢ９）、また、動画像であっても（ステップＢ６でＹＥＳ）、指標が含まれていれば（ステップＢ７でＹＥＳ）、撮影対象は保存共通資料の画像であると判別する（ステップＢ９）。
【００２３】
図６は、撮影対象の種別に応じて画像の出力元を検出する出力元検出処理（図４のステップＡ５）を詳述するためのフローチャートである。
先ず、ＣＰＵ１１は、上述した種別判別処理（図４のステップＡ４）で判別された種別は、保存共通資料の画像であるかを調べたり（ステップＣ１）、アプリケーション画面の画像であるかを調べたり（ステップＣ３）、テレビ放送の画像であるかを調べたりする（ステップＣ６）。いま、撮影対象の種別が保存共通資料の画像であれば（ステップＣ１でＹＥＳ）、撮影画像内のヘッダ部あるいはフッタ部内の文字、数字、マークに基づいて出力元（例えば、バス名、ページ番号）を検出する（ステップＣ２）。
【００２４】
また、撮影対象の種別がアプリケーション画面の画像であれば（ステップＣ３でＹＥＳ）、撮影画像内のヘッダ部あるいはフッタ部内の文字、マーク、アイコン形状からアプリケーション種別を判別し（ステップＣ４）、そのアプリケーション種別をその画像の出力元（アドレス帳、メーラ、文章作成など）として検出する（ステップＣ５）。また、種別がテレビ放送の画像であれば（ステップＣ６でＹＥＳ）、テレビ放送受信部１９をオンさせてテレビ放送の受信を開始すると共に（ステップＣ７）、撮影画像（テレビ放送画像）をキーとして各チャンネルの放送番組を順次スキャン（選局）して（ステップＣ８）、そのキーと同様の画像を含むチャンネルを出力元として検出する（ステップＣ９）。この場合、順次選局したチャンネルの放送信号から分離した画像を復号化して表示データに変換してからキーと同様の画像を含むチャンネルであるかの判別を行うようにしている。また、画像全体を比較する場合に限らず、画像の一部（例えば、端部、中央部）に着目して比較するようにしてもよく、また、完全一致に限らず、近似する範囲であってもよい。
【００２５】
また、撮影対象の種別がテレビ放送の画像でなければ（ステップＣ６でＮＯ）、Ｗｅｂページの画像であると判断してステップＣ１０に移り、撮影画像内においてＵＲＬを構成する特定固有名詞、例えば、ＨＴＴＰプロトコルを使用してＷｅｂサーバに接続する場合には、“ｈｔｔｐ：／／”を特定し、この“ｈｔｔｐ：／／”に続くネットワーク上の所在位置を出力元として検出する（ステップＣ１１）。なお、ＦＴＰプロトコルを使用してＦＴＰサーバに接続する場合には、ＵＲＬを構成する特定固有名詞として、“ｆｔｐ：／／”を特定し、この“ｆｔｐ：／／”に続くネットワーク上の所在位置を出力元として検出するようにすればよい。
【００２６】
このような出力元検出処理（図４のステップＡ５）が終わると、その出力元をアクセスして画像を取得して（ステップＡ６）、それを表示データに変換する（ステップＡ７）。例えば、撮影対象の種別が保存共通資料であれば、その出力元（パス名、ページ番号）に基づいて記憶部１２内の資料ファイルあるいは資料ページをアクセスしてその資料ファイルあるいは資料ページを取得してその表示データに変換する。また、撮影対象の種別がアプリケーション画面の画像であれば、その出力元（アドレス帳、メーラ、文章作成など）をアクセスしてその画像情報をアプリケーション画面に変換する。また、種別がテレビ放送の画像であれば、その出力元（チャンネル）をアクセスしてそのテレビ放送画像に変換する。また、種別がＷｅｂページの画像であれば、その出力元（ＵＲＬ）をアクセスしてそのページ画像に変換する。
【００２７】
これによって出力元から取得変換した取得画像と撮影画像とを比較することにより同じ画像であるかを調べる（ステップＡ８）。なお、画像全体を比較して同じ画像であるかを調べる場合に限らず、画像の一部（例えば、端部、中央部）を比較して同じ画像であるかを調べるようにしてもよく、また、完全一致に限らず、近似する範囲であれば、同じ画像であると判定するようにしてもよい。いま、同じ画像でなければ（ステップＡ８でＮＯ）、最初から処理をやり直すために上述のステップＡ２に戻るが、同じ画像であれば（ステップＡ８でＹＥＳ）、出力元から取得した画像を表示部１４に表示させる動作を開始させる（ステップＡ９）。この状態においてコピー出力モードが解除されたかを調べ（ステップＡ１０）、コピー出力モードが解除されるまで画像表示動作を継続させるが、解除されて他のモードに切り替えられたときには（ステップＡ１０でＹＥＳ）、撮影動作及び表示動作を停止（ステップＡ１１）させた後、図４のフローから抜ける。
【００２８】
以上のように、第１実施形態においてＰＣ装置１は、他の情報出力装置２で出力されている情報を取得して解析することによりその情報の出力元を検出した後に、その出力元をアクセスすることによって他の情報出力装置２で出力されている情報と同じ情報を出力するようにしたので、他の情報出力装置２で出力されている情報の出力元が分からなくても、通信接続によらず、その情報の出力元をアクセスして同じ情報を自身でも出力することができ、自身のＰＣ装置１の出力状態を、他の情報出力装置２と同一の出力状態（同一環境）にすることができる。したがって、例えば、携帯端末装置、ノートＰＣなどに表示されているテレビ放送やＷｅｂページなどの画像と同じ画像を特別な操作を行わなくても自身の表示部１４に即座に大画面表示させることができ、利便性の高いものとなる。
【００２９】
ＰＣ装置１は、他の情報出力装置２に表示されている画像を撮像部１６により撮影した撮影画像を取得して解析することによりその画像の出力元を検出するようにしたので、他の情報出力装置２で出力されている画像を撮像部１６で撮影するだけでその出力元を容易に検出することができる。この場合、ＰＣ装置１と他の情報出力装置２とが距離的に大きく離れていても（接近させなくても）、他の情報出力装置２の画面を撮影する際に、光学ズームを調整して撮影することによりその画面を良好に撮影することができ、出力元の検出に支障が起こることもない。
【００３０】
ＰＣ装置１は、他の情報出力装置２に表示されているインターネット上の画像を撮影し、その画像に含まれている文字列の中で特定固有名詞に続くネットワーク上の所在位置をその画像の出力元として検出するようにしたので、インターネット上の画像を撮影するだけで、インターネットに接続してその画像を表示することが可能となる。
【００３１】
ＰＣ装置１は、他の情報出力装置２に表示されているテレビ放送の画像を撮影し、その画像をキーにして、テレビ放送の各チャンネルをスキャンすることにより同様の画像を含むチャンネルをその画像の出力元として検出するようにしたので、テレビ放送の画像を撮影するだけで、同一チャンネルのテレビ放送を出力することが可能となる。
【００３２】
ＰＣ装置１は、他の情報出力装置２に表示されているアプリケーション画面を撮影し、そのアプリケーション画面内のヘッダ部の内容から判定したアプリケーションの種別をその画面の出力元として検出するようにしたので、アプリケーション画面を撮影するだけで、アプリケーションに接続してそのアプリケーション画面を表示することが可能となる。
【００３３】
ＰＣ装置１は、他の情報出力装置２に表示されている資料画面を撮影し、その資料画面内のヘッダ部あるいはフッタ部の内容からその資料ファイルを指定する指定情報あるいはその資料ファイル内でのページを指定する指定情報をその画像の出力元として検出するようにしたので、資料画面を撮影するだけで、資料ファイルや資料ページを表示することが可能となる。
【００３４】
ＰＣ装置１は、撮影画像を解析して、その撮影対象の種別を判別した後に、その種別に応じてその情報の出力元を検出するようにしたので、撮影対象を絞ってから出力元を検出することができ、その検出がより確実なものとなる。
【００３５】
ＰＣ装置１は、撮影画像が所定の画像フォームであるか、撮影画像内のヘッダ部あるいはフッタ部に所定の文字あるいは数字が含まれているか、所定の指示指標が含まれているか、撮影画像は静止画像であるか動画像であるかに基づいて撮影対象の種別を判別するようにしたので、撮影対象を適切に種別することができる。
【００３６】
ＰＣ装置１は、検出した出力元をアクセスすることにより取得した画像と撮影画像とが同じであるか否かを判別し、同じ画像でなければ、更に撮影画像を取得して解析することによりその画像の出力元を検出する動作を繰り返し、同じ画像であれば、その出力元からの画像を出力するようにしたので、出力元を検出する精度が高くなくてもそれを補うことができる。
【００３７】
なお、上述した第１実施形態においては、撮影対象（画像）として、テレビ放送の画像、アプリケーション画面の画像、Ｗｅｂページの画像、保存共通資料の画像を示したが、これに限らず、例えば、プロジェクタによる投影画像などであってもよい。
【００３８】
上述した第１実施形態においては、図５に示すように、撮影画像が所定の画像フォームであるか、撮影画像内のヘッダ部あるいはフッタ部に所定の文字あるいは数字が含まれているか、所定の指示指標が含まれているか、撮影画像は静止画像であるか動画像であるかに基づいて撮影対象の種別を判別するようにしたが、これに限らず、例えば、フッタ部にページ番号が含まれているか、画像の中央部分に所定大以上の文字列（資料名）が含まれているかなどに基づいて撮影対象の種別を判別するようにしてもよい。
【００３９】
上述した第１実施形態においては、撮影対象の種別を自動判別するようにしたが、ユーザ操作により任意の種別を指定するようにしてもよく、また、種別の自動判別とユーザ指定との両方を可能としてもよい。
【００４０】
（第２実施形態）
以下、この発明の第２実施形態について図７を参照して説明する。
なお、上述した第１実施形態においては、他の情報出力装置２に表示されている画像を撮像部１６により撮影し、この撮影画像を取得してその解析することによりその画像の出力元を検出するようにしたが、この第２実施形態においては、他の情報出力装置２から出力されている音声を集音部１７により集音して音声解析を行うことによりその音声の出力元を検出するようにしたものである。つまり、画像解析から出力元を検出するか、音声解析から出力元を検出するかの相違である。ここで、両実施形態において基本的あるいは名称的に同一のものは、同一符号を付して示し、その説明を省略すると共に、以下、第２実施形態の特徴部分を中心に説明するものとする。
【００４１】
上述の集音機能は、他の情報出力装置２から出力されている音声を集音取得するための情報取得機能であり、ＰＣ装置１は、この集音機能によって集音取得した音声を解析することによりその音声の出力元を検出すると共に、その出力元をアクセスすることにより、他の情報出力装置２から出力されている音声と同じ音声を自身でも出力するようにしている。「音声の出力元」とは、他の情報出力装置２から出力されている音声がラジオ放送であれば、その番組を放送している放送局（周波数）を示し、テレビ放送であれば、その番組を放送している放送局（チャンネル）を示し、ネット中継（例えば、インターネット中継）であれば、中継局（ネットアドレス）を示している。なお、上述した第１実施形態においては、撮影対象の種別（コピー種別）を自動判別するようにしたが、この第２実施形態においては、集音対象の種別をユーザ操作により任意に指定可能としている。
【００４２】
図７は、第２実施形態において、コピー出力モードに切り替えられた際に実行開始されるＰＣ装置１の動作を示したフローチャートである。ここで、ユーザは、他の情報出力装置２に所望する音声を出力させた状態において、モード切り替えキーを操作することによりコピー出力モードに切り替える。
先ず、ＰＣ装置１においてそのＣＰＵ１１は、ユーザ操作により集音対象の種別（コピー種別）としてラジオ放送、テレビ放送、ネット中継のいずれかが任意に指定されると（ステップＤ１）、集音部１７からの音声を録音する集音動作を開始（ステップＤ２）させた後、その音声を解析しながら（ステップＤ３）、集音開始後から所定時間が経過したかを調べる（ステップＤ４）。ここで、所定時間とは、音声解析によってその特徴を判別するのに要する時間であり、所定時間が経過するまで上述のステップＤ３に戻るが、所定時間が経過したときには（ステップＤ４でＹＥＳ）、予めユーザ指定された種別（コピー種別）に応じて、その種別に対応する広域通信部１８、テレビ放送受信部１９、ラジオ放送受信部２０のいずれかを起動させる（ステップＤ５）。
【００４３】
そして、起動した広域通信部１８／テレビ放送受信部１９／ラジオ放送受信部２０からネット中継／テレビ放送／ラジオ放送を受信開始するが、その際、集音した音声をキーにして各局（テレビ局／ラジオ局／中継局）を順次スキャン（選局）し（ステップＤ６）、同様の音声を含む局を出力元として検出する（ステップＤ７）。これによって検出した出力元をアクセスすることによりネット中継／テレビ放送／ラジオ放送の音声を受信取得し（ステップＤ８）、集音した音声と同じ音声であるかを調べる（ステップＤ９）。なお、ステップＤ７及びＤ９においては、音声全体を比較する場合に限らず、所定周波数の音声を着目して比較するようにしてもよく、また、完全一致に限らず、近似する範囲であってもよい。
【００４４】
いま、集音した音声と同じ音声でなければ（ステップＤ９でＮＯ）、最初から処理をやり直すために上述のステップＤ３に戻るが、同じ画像であれば（ステップＤ９でＹＥＳ）、出力元から取得した音声を音声出力部１５から出力させる動作を開始させる（ステップＤ１０）。この状態においてコピー出力モードが解除されたかを調べ（ステップＤ１１）、コピー出力モードが解除されるまで音声出力動作を継続させるが、解除されて他のモードに切り替えられたときには（ステップＤ１１でＹＥＳ）、集音動作及び音声出力動作を停止（ステップＤ１２）させた後、図７のフローから抜ける。
【００４５】
以上のように、第２実施形態においてＰＣ装置１は、他の情報出力装置２から出力されている音声を集音部１７により集音して解析することによりその音声の出力元を検出するようにしたので、他の情報出力装置２から出力されている音声の出力元が分からなくても、通信接続によらず、その音声の出力元をアクセスして同じ音声を出力することができ、利便性の高いものとなる。
【００４６】
集音した音声をキーにして、各局をスキャンすることにより同様の音声を含む局をその音声の出力元として検出するようにしたので、テレビ放送／ラジオ放送／ネット中継の音声を集音するだけで、同じ局の音声を出力することが可能となる。
【００４７】
また、集音対象の種別をユーザ操作により任意に指定可能としたので、その種別の数が多い場合などで有効なものとなる。
【００４８】
ＰＣ装置１は、検出した出力元をアクセスすることにより取得した音声と集音した音声とが同じであるか否かを判別し、同じ音声でなければ、更に音声を集音して解析することによりその音声の出力元を検出する動作を繰り返し、同じ音声であれば、その出力元からの音声を出力するようにしたので、出力元を検出する精度が高くなくてもそれを補うことができる。
【００４９】
上述した第２実施形態においては、集音対象の種別をユーザ操作により任意に指定可能としたが、集音した音声をキーにして、各局をスキャンすることにより同様の音声を含む局をその音声の出力元として検出することによって集音対象の種別を自動判別するようにしてもよい。この場合、例えば、テレビ放送受信部１９を起動して各局をスキャンし、その結果、同様の音声を含む局が見つからなければ、次にラジオ放送受信部２０を起動して各局をスキャンし、同様の音声を含む局が見つからなければ、更に広域通信部１８を起動して各局をスキャンするようにすれば、集音対象の種別を自動判別することが可能となる。なお、上述の例では、テレビ放送受信部１９、ラジオ放送受信部２０、広域通信部１８の順番に起動するようにしたが、その順番はこれに限らず任意であることは勿論である。
【００５０】
上述した各実施形態においてＰＣ装置１は、他の情報出力装置２に出力されている情報を取得して解析することによりその情報の出力元を検出し、その出力元をアクセスすることにより取得した情報と他の情報出力装置２に出力されている情報とが同じであるか否かを判別し、同じ情報でなければ、更に他の情報出力装置２から情報を取得して解析する動作を繰り返すようにしたが、これに限らず、次のようにしてもよい。すなわち、他の情報出力装置２に出力されている情報を取得して解析した結果、複数の出力元を検出した場合には、その複数の出力元を選択候補として順次アクセスすることにより得られた各情報と他の情報出力装置２に出力されている情報とが同じであるか否かを順次判別し、同じ情報であれば、その候補を出力元として確定し、その確定出力元から情報を取得して出力するようにしてもよい。これによって複数の出力元を検出した場合であってもその中から正しい出力元を確定することができる。
【００５１】
上述した第１及び第２実施形態においては、画像解析によりその画像の出力元を検出する場合と、音声解析によりその音声の出力元を検出する場合に分けるようにしたが、画像と音声の出力元が同一であれば、画像解析、音声解析のいずれか一方によりその出力元を検出するようにすればよい。また、画像解析によりその出力元を検出することができなかった場合に、音声解析によりその出力元を検出するようにしてもよく、逆に、音声解析によりその出力元を検出することができなかった場合に、画像解析によりその出力元を検出するようにしてもよい。
【００５２】
（第３実施形態）
以下、この発明の第３実施形態について図８及び図９を参照して説明する。
なお、上述した第１実施形態においては、図６の出力元検出処理で撮影対象の種別がＷｅｂページの画像であると判断された場合（ステップＣ６でＮＯ）、その撮影画像を解析することによってその画像内に含まれているＵＲＬ（Uniform Resource Locator）を構成する特定固有名詞“ｈｔｔｐ：／／”に続くネットワーク上の所在位置を出力元として検出するようにしたが（ステップＣ１１）、この第３実施形態においては、ＵＲＬを出力元として検出する場合に限らず、撮影画像内にＵＲＬが含まれていなければ、その画像内に含まれているキーワード又はキー画像を検索対象として通信ネットワーク（インターネット）上を検索することによりその画像の出力元を検出するようにしたものである。ここで、第１及び第３実施形態において基本的あるいは名称的に同一のものは、同一符号を付して示し、その説明を省略すると共に、以下、第３実施形態の特徴部分を中心に説明するものとする。
【００５３】
図８及び図９は、第３実施形態において、画像の出力元を検出する出力元検出処理（図４のステップＡ５）を詳述するためのフローチャートである。
先ず、ＣＰＵ１１は、上述した種別判別処理（図４のステップＡ４）で判別された種別がＷｅｂページの画像であるかを調べ（図８のステップＥ１）、その他の種別であれば（ステップＥ１でＮＯ）、つまり、保存共通資料の画像、アプリケーション画面の画像、テレビ放送の画像のいずれかであれば、ステップＥ２に移り、その種別に対応する出力元検出処理を行った後に、図８及び図９のフローの終了となる。なお、この出力元検出処理（ステップＥ２）は、上述した図６のステップＣ１〜Ｃ９で示した処理である。
【００５４】
判別された種別がＷｅｂページの画像であれば（ステップＥ１でＹＥＳ）、その撮影画像を解析することによりそりの画像内においてＵＲＬを構成する特定固有名詞、例えば、ＨＴＴＰプロトコルを使用してＷｅｂサーバに接続する場合には、“ｈｔｔｐ：／／”を特定する処理を行い（ステップＥ３）、その“ｈｔｔｐ：／／”を特定することができたかを調べ（ステップＥ４）、特定できたときには（ステップＥ４でＹＥＳ）、その“ｈｔｔｐ：／／”に続くネットワーク上の所在位置を出力元として検出する（ステップＥ５）。なお、この場合においてもＦＴＰプロトコルを使用してＦＴＰサーバに接続する場合には、ＵＲＬを構成する特定固有名詞として、“ｆｔｐ：／／”を特定し、この“ｆｔｐ：／／”に続く通信ネットワーク上の所在位置を出力元として検出するようにすればよい。
【００５５】
また、ＵＲＬを構成する特定固有名詞“ｈｔｔｐ：／／”を特定することができなければ（ステップＥ４でＮＯ）、Ｗｅｂページの画面構成を分析する処理に移る（ステップＥ６）。この場合、Ｗｅｂページの全体画面を分析することにより所定の画像フォームであるか、ヘッダ部あるいはフッタ部に所定の文字あるいは数字が含まれているか、所定の指示指標が含まれているかなどを分析する。例えば、Ｗｅｂページ内のウインドウタイトル、タブのタイトル、サイトバナー、サイトナビゲーション、コンテンツナビゲーション、メインコンテンツ、広告などの画面構成を分析する。そして、この分析結果に基づいてタイトルなどの全部又は一部の文字列又は画像部分を検索対象のキー（キーワード又はキー画像）として抽出する（ステップＥ７）。
【００５６】
そして、この検索対象のキー（検索キー:キーワード又はキー画像）に基づいて通信ネットワーク上を検索して（ステップＥ８）、その検索結果（ＵＲＬ）を出力元の選択候補として取得（ステップＥ９）した後、図９のフローに移る。先ず、検索の結果（ＵＲＬ）、候補は一つであるかを調べ（ステップＥ１２）、候補が一つであれば（ステップＥ１２でＹＥＳ）、その候補（ＵＲＬ）を画像の出力元として検出（確定）する処理（ステップＥ１８）を行った後、図８及び図９のフローの終了となる。また、候補が一つでなければ（ステップＥ１２でＮＯ）、その候補数は所定数未満（例えば、１００未満）であるかを調べる（ステップＥ１３）。ここで、候補数が所定数未満であれば（ステップＥ１３でＹＥＳ）、そのいずれか一つを選択し（ステップＥ１４）、未選択の候補は残っているか、つまり、全ての候補を選択し終わったかを調べる（ステップＥ１５）。なお、上述のステップＥ１３、Ｅ１４においては、候補数が所定数未満であるかを調べた結果、所定数未満であれば、そのいずれか一つを選択するようにしたが、上位所定数分の候補（例えば、上位１００位の候補）を抽出した後に、その中から一つを選択するようにしてもよい。
【００５７】
最初は、複数候補の中からその一つを選択した場合であるから（ステップＥ１５でＹＥＳ）、この選択候補（ＵＲＬ）に基づいて通信ネットワーク上を検索することにより該当するＷｅｂページを取得する（ステップＥ１６）。そして、取得したＷｅｂページの内容と表示中のＷｅｂページの内容とを比較して両者は同一（完全一致又は近似）のＷｅｂページであるかを調べ（ステップＥ１７）、両者が異なれば（ステップＥ１７でＮＯ）、上述のステップＥ１４に戻り、他の候補を一つ選択（ステップＥ１４）した後、上述の動作を繰り返す（ステップＥ１５〜Ｅ１７）。これによって同一のＷｅｂページを特定することができたときには（ステップＥ１７）、その候補（ＵＲＬ）を画像の出力元として検出（確定）する処理（ステップＥ１８）を行った後、図８及び図９のフローの終了となる。
【００５８】
一方、全ての候補を選択しても同一のＷｅｂページを特定することができなかったときには（ステップＥ１５でＮＯ）、該当するＷｅｂページを検索することができなかったことを示す該当無しメッセージを画面内に重ね合わせて表示（例えば、ポップアップ表示）させる（ステップＥ２１）。ここで、ユーザ操作により再度の検索要求（リトライ要求）を受けたかを調べ（ステップＥ２２）、リトライ要求を受けなければ（ステップＥ２２でＮＯ）、図８のステップＥ１１に移り、検出エラーの終了表示を行って、図８及び図９のフローの終了となる。
【００５９】
また、ユーザからリトライ要求を受けた場合（ステップＥ２２でＹＥＳ）又は候補数が所定数以上（例えば、１００以上）の場合には（ステップＥ１３でＹＥＳ）、ステップＥ１９に移り、検索キー（キーワード又はキー画像）を変更する処理を行う。例えば、タイトル名なども文字列の一部をその全部に変更したり、複数のタイトル名などの文字列をキーワードとしたり、キーワードと画像キーとを混合するなど、検索キーを変更する。そして、リトライ回数に「１」を加算する処理（ステップＥ２０）を行った後、図８のステップＥ１０に移り、リトライ回数は所定数以上（例えば、４回以上）であるかを調べる。
【００６０】
リトライ回数が所定数未満であれば（ステップＥ１０でＮＯ）、変更した検索キー（キーワード又はキー画像）に基づいて通信ネットワーク上を再度検索して（ステップＥ８）、その検索結果（ＵＲＬ）を出力元の選択候補として取得する（ステップＥ９）。以下、図９のフローに移り、上述と同様の処理を行う。この場合、何回も同様の処理を繰り返しても出力元を検出することができなかったときには、つまり、リトライ回数が所定数以上となったときには（ステップＥ１０でＹＥＳ）、エラー終了表示を行って、図８及び図９のフローの終了となる。
【００６１】
以上のように、第３実施形態においてＰＣ装置１は、他の情報出力装置２で表示されているＷｅｂページを撮影し、その撮影画像を解析してその画像内に含まれている文字列又は画像部分を検索対象として通信ネットワーク（インターネット）上を検索することによりその画像の出力元を検出するようにしたので、他の情報出力装置２で表示されているＷｅｂページを撮影するだけで、インターネットに接続してその画像を表示することが可能となると共に、他の情報出力装置２で表示されているＷｅｂページ内にＵＲＬが含まれていなくてもそのＷｅｂページを検索することができ、確実性及び利便性の高いものとなる。
【００６２】
ＰＣ装置１は、他の情報出力装置２で表示されているＷｅｂページを撮影し、その撮影画像を解析してその画像内に含まれている文字列又は画像部分を検索対象として通信ネットワーク上を検索した結果、複数の出力元を選択候補として検出した場合には、その各選択候補の出力元を順次アクセスすることにより得られたＷｅｂページと他の情報出力装置２で出力されているＷｅｂページとが同じであるか否かを順次判別し、同じＷｅｂページであれば、その候補を出力元として確定し、その確定出力元からＷｅｂページを取得して出力するようにしたので、出力元の検出をより確実に行うことが可能となる。
【００６３】
ＰＣ装置１は、他の情報出力装置２で表示されているＷｅｂページを撮影し、その撮影画像を解析してその画像内に含まれている文字列又は画像部分を検索対象として通信ネットワーク上を検索した結果、複数の出力元を選択候補として検出した場合には、その各選択候補の出力元を順次アクセスすることにより得られたＷｅｂページと他の情報出力装置２で出力されているＷｅｂページとが同じであるか否かを順次判別し、同じＷｅｂページを検索することができなかったときには、その旨の案内メッセージを表示するようにしたので、該当するＷｅｂページを検索することができなかったことをユーザに知らせることができ、ユーザにあっては直ちに対応策を講じることが可能となる。
【００６４】
ＰＣ装置１は、他の情報出力装置２で表示されているＷｅｂページを撮影し、その撮影画像を解析してその画像内に含まれている文字列又は画像部分を検索対象とする場合に、そのＷｅｂページが表示されている画面構成を分析することによって検索対象を特定するようにしたので、例えば、ウインドウタイトル、タブのタイトル、サイトバナー、サイトナビゲーション、コンテンツナビゲーション、メインコンテンツ、広告などを基に検索対象を特定することが可能となる。
【００６５】
ＰＣ装置１は、他の情報出力装置２で表示されているＷｅｂページを撮影した撮影画像を解析した結果、ネットワーク上の所在位置（ＵＲＬ）が含まれていない場合に、Ｗｅｂページ内に含まれている文字列又は画像部分を検索対象として通信ネットワーク上を検索することによってその画像の出力元を検出するようにしたので、ＵＲＬが含まれていないことを条件に文字列又は画像部分を検索対象として通信ネットワーク上を検索することができ、出力元の検出をより確実に行うことが可能となる。
【００６６】
ＰＣ装置１は、文字列又は画像部分を検索対象として通信ネットワーク上を検索した結果、複数の出力元を選択候補として検出した場合に、その候補数が所定値以上であれば、検索対象を変更した後にその変更後の検索対象に基づいて通信ネットワーク上を再検索するようにしたので、出力元の検出をより確実に行うことが可能となる。
【００６７】
なお、上述した第３実施形態においては、検出した出力元に基づいてインターネットを検索する場合を例示したが、ＬＡＮ（Local Area Network）を検索するようにしてもよい。
【００６８】
上述した第３実施形態においては、複数の出力元を選択候補として検出した場合に、その各選択候補の出力元を順次アクセスすることにより得られたＷｅｂページと他の情報出力装置２で出力されているＷｅｂページとが同じであるか否かを順次判別し、同じＷｅｂページであると判別した場合にその候補を出力元として確定するようにしたが、複数の出力元を選択候補として検出した場合は、上述のような自動確定を行わず、ユーザ選択に応じて確定するようにしてもよい。すなわち、候補を一覧表示させた状態においてその中からユーザ操作により選択された候補に基づいて通信ネットワーク上を検索するようにしてもよい。また、候補を表示させる場合に、サイト（ニュース、ＥＣ（Electronic Commerce）、まとめサイト、企業サイト、ブログなど）、コンテンツのカテゴリ（掲示板カテゴリのトップ、ブログコンテンツのトップ、ＥＣサイトのカテゴリのトップを表示させるようにしてもよい。
【００６９】
また、第１〜第３実施形態においては、他の情報出力装置２に出力されている情報と同じ情報を出力させるための制御を行う場合に、ＰＣ装置１自身がその情報を表示するようにしたが、ＰＣ装置１は、その情報を他の装置（例えば、携帯端末装置、テレビジョン受像機など）に送信することによって当該他の装置側で表示させるように制御してもよい。
【００７０】
また、第１〜第３実施形態においては、情報出力装置としてディスクトップ型のＰＣ装置１に適用した場合を示したが、インターネット接続機能を備えたテレビジョン受像機や電子ゲーム機器、スマートフォンなどの携帯電話機、タブレット端末装置、携帯型情報通信機器などであってもよく、また、他の情報出力装置２として携帯端末装置、ノート型ＰＣに限らず、ディスクトップ型のＰＣ装置、テレビジョン受像機、ラジオ受信機などであってもよい。
【００７１】
また、上述した第１〜第３実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００７２】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
情報を出力する情報出力装置であって、
当該情報出力装置以外の他の情報出力装置に表示されている情報を取得する取得手段と、
前記取得手段によって取得された情報を解析することによってその情報の出力元を検出する検出手段と、
前記検出手段によって検出された出力元をアクセスすることによって前記他の情報出力装置に出力されている前記情報と同じ情報を出力させるための制御を行う出力制御手段と、
を備えたことを特徴とする情報出力装置である。
（請求項２）
請求項２に記載の発明は、請求項１記載の情報出力装置において、
画像を撮影する撮影手段を更に備え、
前記取得手段は、前記他の情報出力装置に表示されている画像が前記撮影手段により撮影された場合にその撮影画像を取得し、
前記検出手段は、前記取得手段によって取得された撮影画像を解析してその画像の出力元を検出する、
ようにしたことを特徴とする情報出力装置である。
（請求項３）
請求項３に記載の発明は、請求項２記載の情報出力装置において、
前記取得手段によって取得された撮影画像は、前記他の情報出力装置に表示されている通信ネットワーク上の画像を撮影した画像であり、
前記検出手段は、前記取得手段によって取得されたネットワーク上の画像に含まれている文字列の中で特定固有名詞に続くネットワーク上の所在位置をその画像の出力元として検出する、
ようにしたことを特徴とする情報出力装置である。
（請求項４）
請求項４に記載の発明は、請求項２に記載の情報出力装置において、
前記取得手段によって取得された撮影画像は、前記他の情報出力装置に表示されているテレビ放送画像を撮影した画像であり、
前記検出手段は、前記取得手段によって取得されたテレビ放送画像をキーにして、テレビ放送の各チャンネルをスキャンすることにより同様の画像を含むチャンネルをその画像の出力元として検出する、
ようにしたことを特徴とする情報出力装置である。
（請求項５）
請求項５に記載の発明は、請求項２に記載の情報出力装置において、
前記取得手段によって取得された撮影画像は、前記他の情報出力装置でのアプリケーション処理時に表示されているアプリケーション画面を撮影した画像であり、
前記検出手段は、前記取得手段によって取得されたアプリケーション画像内のヘッダ部の内容から判定したアプリケーションの種別をその画面の出力元として検出する、
ようにしたことを特徴とする情報出力装置である。
（請求項６）
請求項６に記載の発明は、請求項２に記載の情報出力装置において、
前記取得手段によって取得された撮影画像は、前記他の情報出力装置に表示されている資料画面を撮影した画像であり、
前記検出手段は、前記取得手段によって取得された資料画面内のヘッダ部あるいはフッタ部の内容からその資料ファイルを指定する指定情報あるいはその資料ファイル内でのページを指定する指定情報をその画像の出力元として検出する、
ようにしたことを特徴とする情報出力装置である。
（請求項７）
請求項７に記載の発明は、請求項２〜請求項６のいずれかに記載の情報出力装置において、
前記検出手段は、前記取得手段によって取得された撮影画像を解析して、その撮影対象の種別を判別した後に、その種別に応じてその画像の出力元を検出する、
ようにしたことを特徴とする情報出力装置である。
（請求項８）
請求項８に記載の発明は、請求項７に記載の情報出力装置において、
前記検出手段は、前記取得手段によって取得された撮影画像を解析することによりその撮影画像が所定の画像フォームであるか、撮影画像内のヘッダ部あるいはフッタ部に所定の文字あるいは数字が含まれているか、所定の指示指標が含まれているか、撮影画像は静止画像であるか動画像であるか、のうち少なくともそのいずれかに基づいて前記撮影対象の種別を判別する、
ようにしたことを特徴とする情報出力装置である。
（請求項９）
請求項９に記載の発明は、請求項１に記載の情報出力装置において、
音声を集音する集音手段を更に備え、
前記取得手段は、前記他の情報出力装置で出力されている音声が前記集音手段により集音された場合にその音声を情報として取得し、
前記検出手段は、前記取得手段によって取得された音声を解析してその音声の出力元を検出する、
ようにしたことを特徴とする情報出力装置である。
（請求項１０）
請求項１０に記載の発明は、請求項９に記載の情報出力装置において、
前記検出手段は、前記取得手段によって取得された音声をキーにして、各局をスキャンすることにより同様の音声を含む局をその音声の出力元として検出する、
ようにしたことを特徴とする情報出力装置である。
（請求項１１）
請求項１１に記載の発明は、請求項９あるいは請求項１０に記載の情報出力装置において、
前記取得手段によって取得された情報の種別をユーザ操作により任意に入力指定する指定手段を更に備え、
前記検出手段は、前記指定手段により指定された情報の種別に応じてその情報の出力元を検出する、
ようにしたことを特徴とする情報出力装置である。
（請求項１２）
請求項１２に記載の発明は、請求項１〜請求項１１のいずれかに記載の情報出力装置において、
前記出力制御手段は、前記出力元をアクセスすることにより取得した情報と前記取得手段によって取得された情報とが同じであるか否かを判別し、同じ情報でなければ、更に前記取得手段及び前記検出手段を再動作させて情報の出力元を検出する動作を繰り返し実行させるための制御を行い、同じ情報であれば、その出力元からの情報を出力させるための制御を行う、
ようにしたことを特徴とする情報出力装置である。
（請求項１３）
請求項１３に記載の発明は、請求項１〜請求項１１のいずれかに記載の情報出力装置において、
前記検出手段は、前記取得手段によって取得された情報を解析した解析結果に基づいて複数の出力元を選択候補として検出し、
前記出力手段は、前記検出手段によって選択候補として検出された各出力元を順次アクセスすることにより得られた情報と前記取得手段によって取得された情報とが同じであるか否かを順次判別し、同じ情報であると判別した場合にその候補を出力元として確定し、その確定出力元から情報を取得して出力する、
ようにしたことを特徴とする情報出力装置である。
（請求項１４）
請求項１４に記載の発明は、請求項１記載の情報出力装置において、
前記他の情報出力装置に表示されている通信ネットワーク上の画像を撮影する撮影手段を更に備え、
前記取得手段は、前記撮影手段により撮影された撮影画像を取得し、
前記検出手段は、前記取得手段によって取得された撮影画像を解析してその画像内に含まれている文字列又は画像部分を検索対象として通信ネットワーク上を検索することによってその画像の出力元を検出する、
ようにしたことを特徴とする情報出力装置である。
（請求項１５）
請求項１５に記載の発明は、請求項１４記載の情報出力装置において、
前記検出手段は、前記文字列又は画像部分を検索対象として通信ネットワーク上を検索した結果、複数の出力元を選択候補として検出し、
前記出力手段は、前記検出手段によって選択候補として検出された各出力元を順次アクセスすることにより得られた情報と前記取得手段によって取得された情報とが同じであるか否かを順次判別し、同じ情報であると判別した場合にその候補を出力元として確定し、その確定出力元から情報を取得して出力する、
ようにしたことを特徴とする情報出力装置である。
（請求項１６）
請求項１６に記載の発明は、請求項１５記載の情報出力装置において、
前記出力手段は、前記検出手段によって選択候補として検出された各出力元を順次アクセスすることにより得られた情報と前記取得手段によって取得された情報とが同じであるか否かを順次判別し、同じ情報ではないと判別した場合にその旨の案内情報を出力する、
ようにしたことを特徴とする情報出力装置。
である。
（請求項１７）
請求項１７に記載の発明は、請求項１４〜請求項１６のいずれかに記載の情報出力装置において、
前記取得手段によって取得された撮影画像を解析してその画像内に含まれている文字列又は画像部分を検索対象とする場合に、その画像が表示されている画面構成を分析することによって検索対象を特定する、
ようにしたことを特徴とする情報出力装置である。
（請求項１８）
請求項１８に記載の発明は、請求項１４〜請求項１７記載のいずれかに記載の情報出力装置において、
前記検出手段は、前記取得手段によって取得されたネットワーク上の画像に含まれている文字列の中で特定固有名詞に続くネットワーク上の所在位置をその画像の出力元として検出することができなかった場合に、その画像内に含まれている文字列又は画像部分を検索対象として通信ネットワーク上を検索することによってその画像の出力元を検出する、
ようにしたことを特徴とする情報出力装置である。
（請求項１９）
請求項１９に記載の発明は、請求項１４〜請求項１８記載のいずれかに記載の情報出力装置において、
前記検出手段は、前記文字列又は画像部分を検索対象として通信ネットワーク上を検索した結果、複数の出力元を選択候補として検出した場合に、その候補数が所定値以上であれば、検索対象を変更した後にその変更後の検索対象に基づいて通信ネットワーク上を再検索する、
ようにしたことを特徴とする情報出力装置である。
（請求項２０）
請求項２０に記載の発明は、
コンピュータに対して、
他の情報出力装置で出力されている情報を取得する機能と、
前記取得された情報を解析することによってその情報の出力元を検出する機能と、
前記検出された出力元をアクセスすることによって前記他の情報出力装置に出力されている前記情報と同じ情報を出力させる制御を行う機能と、
を実現させるためのプログラムである。
【符号の説明】
【００７３】
１  ＰＣ装置
２  他の情報出力装置
１１  ＣＰＵ
１２  記憶部
１２ａ  プログラムメモリ
１３  操作部
１４  表示部
１５  音声出力部
１６  撮像部
１７  集音部
１８  広域通信部
１９  テレビ放送受信部
２０  ラジオ放送受信部
【図１】
2014096780.tif 000003
【図２】
2014096780.tif 000004
【図３】
2014096780.tif 000005
【図４】
2014096780.tif 000006
【図５】
2014096780.tif 000007
【図６】
2014096780.tif 000008
【図７】
2014096780.tif 000009
【図８】
2014096780.tif 000010
【図９】
2014096780.tif 000011